(57)【特許請求の範囲】
【請求項１】
制御基板が収納されるケース本体と、該ケース本体の開口部を遮蔽する蓋体とを備え、前記ケース本体の一側縁と、該一側縁に対応する蓋体の一側縁とをヒンジ機構を介して回動可能に枢結し、さらにケース本体と、蓋体とを、ヒンジ機構のある一側縁の両側で対向する他の二側縁で、ワンウエイ螺子からなる締結螺子の螺着により締結することにより、その内部を封印するようにしてなる制御基板収納ケースにおいて、
前記ケース本体の、ヒンジ機構により枢結された一側縁を構成する側板部に、所定深さの切欠き溝を形成し、該切欠き溝を側板部の外側に突出するように一体形成された係合部材によって遮蔽し、該係合部材内に、切欠き溝を介して側板部の内面側に開口する係合孔を形成する一方、
前記蓋体の裏面に、ケース本体の切欠き溝に対応する位置で、蓋体の側縁から裏面方向に延成された延成片と、該延成片の下端から外面側に向けて形成され、該蓋体の閉止状態で前記係合孔に嵌挿される係止片とを備える係止部材を設け、
さらに前記蓋体の、ヒンジ機構により枢結された一側縁から、蓋体の閉止状態で対向するケース本体の側板部の外側面に沿って係止縁を延成するとともに、蓋体の裏面に、１もしくは複数の係止突起を設け、係止縁と係止突起との間に、前記側板部の上縁を収めて、側板部を位置規制するようにしたことを特徴とする遊技機の制御基板収納ケース。
【発明の詳細な説明】
【０００１】
【発明の属する技術分野】
本発明は、パチンコ機、スロットマシン等の遊技機の制御基板収納ケースに関する。
【０００２】
【従来の技術】
パチンコ機、スロットマシン等の遊技機にあって、大当り発生確率等の遊技制御内容は制御基板に配設されたＲＯＭに書き込まれているが、このＲＯＭを備えた制御基板は、ケース本体と、該ケース本体の開口部を遮蔽する蓋体とを備えた制御基板収納ケースに収納されており、該収納ケースによって制御基板を保護するとともに、前記ＲＯＭを交換して所定の遊技制御内容を恣意的に変更する不正行為を防止するようにしている。従来、この制御基板収納ケースを構成するケース本体と蓋体は、相互に分離するものが用いられており、使用に際してはケース本体内に制御基板を収納した後、蓋体を被着して少なくともその対向する二側縁を含む周縁を複数の螺子によって締結し、さらにケース本体と蓋体の境目部分を、剥離すると痕跡が残る特殊なシールで封印するようにしていた。
【０００３】
【発明が解決しようとする課題】
ところで、上記のようなケース本体と蓋体とが分離する従来の制御基板収納ケースにあっては、制御基板の収納作業や検査作業時において、外された蓋体を別の場所に置かなければならないため、そのスペースが必要であり、また、蓋体を着脱する場合には、蓋体の少なくとも対向する二側縁で複数の螺子の締め付け及び取り外しを行わなければならないため、その着脱が面倒であり、作業性が悪いという問題点があった。
【０００４】
本発明は、かかる従来の問題点を解消し、加えて、ケース本体と蓋体を変形させて生じる隙間からＲＯＭを交換する不正行為を防止し得るようにした遊技機の制御基板収納ケースを提供することを目的とするものである。
【０００５】
【課題を解決するための手段】
本発明は、制御基板が収納されるケース本体と、該ケース本体の開口部を遮蔽する蓋体とを備え、前記ケース本体の一側縁と、該一側縁に対応する蓋体の一側縁とをヒンジ機構を介して回動可能に枢結し、さらにケース本体と、蓋体とを、ヒンジ機構のある一側縁の両側で対向する他の二側縁で、ワンウエイ螺子からなる締結螺子の螺着により締結することにより、その内部を封印するようにしてなる制御基板収納ケースにおいて、前記ケース本体の、ヒンジ機構により枢結された一側縁を構成する側板部に、所定深さの切欠き溝を形成し、該切欠き溝を側板部の外側に突出するように一体形成された係合部材によって遮蔽し、該係合部材内に、切欠き溝を介して側板部の内面側に開口する係合孔を形成する一方、前記蓋体の裏面に、ケース本体の切欠き溝に対応する位置で、蓋体の側縁から裏面方向に延成された延成片と、該延成片の下端から外面側に向けて形成され、該蓋体の閉止状態で前記係合孔に嵌挿される係止片とを備える係止部材を設け、
さらに前記蓋体の、ヒンジ機構により枢結された一側縁から、蓋体の閉止状態で対向するケース本体の側板部の外側面に沿って係止縁を延成するとともに、蓋体の裏面に、１もしくは複数の係止突起を設け、係止縁と係止突起との間に、前記側板部の上縁を収めて、側板部を位置規制するようにしたことを特徴とする遊技機の制御基板収納ケースである。
【０００６】
かかる構成にあっては、蓋体の閉止状態において、ケース本体の側板部の係合孔に、蓋体の係止片が嵌挿されることにより、蓋体が位置規制され、該蓋体に外力を加えて浮き上がらせようとしても、変形させることができない。これにより、ヒンジ機構側において、蓋体を変形させて生じる隙間からＲＯＭを交換する不正行為を防止することができる。
【０００７】
さらに、本発明は、制御基板が収納されるケース本体と、該ケース本体の開口部を遮蔽する蓋体とを備え、前記ケース本体の一側縁と、該一側縁に対応する蓋体の一側縁とをヒンジ機構を介して回動可能に枢結してなる制御基板収納ケースにおいて、前記蓋体の、ヒンジ機構により枢結された一側縁から、蓋体の閉止状態で対向するケース本体の側板部の外側面近傍に該外側面に沿って係止縁を延成するとともに、蓋体の裏面に、前記側板部の内側面に近接させて１もしくは複数の係止突起を設ける構成に係る。
【０００８】
この構成にあっては、蓋体の閉止状態において、該蓋体に設けた係止縁と係止突起との間にケース本体の側板部が収まることにより、該側板部が位置規制され、該側板部に側方からの外力を加えても、変形させることができない。これにより、ヒンジ機構側において、ケース本体の側板部を変形させて生じる隙間からＲＯＭを交換する不正行為を防止することができる。
【０００９】
【発明の実施の形態】
本発明の一実施例を、図１〜図１７について説明する。
図面において、１は本発明にかかる制御基板収納ケースであって、該制御基板収納ケース１は、パチンコ機裏面や、スロットマシン内部の所定位置に配設される。この制御基板収納ケース１は、上方を開口した矩形筺体状のケース本体２と、該ケース本体２の上方開口部３を遮蔽する蓋体４とを備えている。ケース本体２と蓋体４は、その長手方向に沿う一側縁の二箇所を後述のヒンジ機構５，５によって回動可能に枢結することにより、該ヒンジ機構５，５を介して蓋体４を片開き状に開閉し得るようになっている。
【００１０】
前記ケース本体２内には、制御基板６が収納される。該制御基板６は、図６に示すように、プリント配線板７とその上面に配設されたＣＰＵ，ＲＯＭ，ＲＡＭ等の電子部品８とからなり、該ＲＯＭに大当り発生確率等の遊技制御内容が書き込まれている。また、ケース本体２の底板９は周縁を残して略全面が開口されており、該開口部１０は透明板１１によって遮蔽されている。この透明板１１により、制御基板６を保護するとともに、該制御基板６を構成するプリント配線板７のハンダ付け裏面７’をケース本体２の底面側から視認できるようにしている。さらに、ケース本体２は、導電性を有するカーボン入り合成樹脂で成形されており、静電気の帯電を防止して前記制御基板６を保護し得るようになっている。
【００１１】
一方、前記蓋体４は透明な合成樹脂で成形され、ケース本体２内に収納された制御基板６の電子部品８を上部から視認できるようにしている。また、該蓋体４の裏面には、導電ネット面１３’を下面に備えた透明板１３が積層されており、該導電ネット面１３’によって前記制御基板６を静電気から保護し得るようになっている。また、蓋体４は、その長手方向の縦幅がケース本体２の縦幅と略等しく、横幅がケース本体２の横幅より小さくなっており、さらに前記ヒンジ機構５，５の対向縁を下方に向けてＬ形に曲成することにより側板部１２が形成されている。これにより、蓋体４を閉じた状態において、図１，図２に示すように、該側板部１２に対向するケース本体２の側板部２ａとの間に間隙１４が生じるようにしており、制御基板６を外部回路に接続するための各種コネクタ（図示せず）を、制御基板６上で前記間隙１４内に配置し得るようになっている。
【００１２】
また、蓋体４の長手方向で対向する二側縁には、夫々複数のフランジ部１７ａ〜１７ｄが横幅方向に沿って所定間隔で列設されている。尚、この実施例では蓋体４の二側縁に４個のフランジ部１７ａ〜１７ｄを夫々設けた場合を図示してあるが、この数に限定されるものではない。また、このフランジ部１７ａ〜１７ｄは蓋体４の二側縁で互いに対称となる位置に配設されている。
【００１３】
各フランジ部１７ａ〜１７ｄは、図５に拡大して示すように、夫々蓋体４の側縁から所定間隔で側方に突出された一対のリブ片１８，１８と、両リブ片１８，１８に両側縁が支持された係止片１９とからなり、該係止片１９に螺子の挿通孔２０が穿設されている。
【００１４】
前記フランジ部１７ａ〜１７ｄを夫々設けた蓋体４の二側縁に対応するケース本体２の二側縁には、各フランジ部１７ａ〜１７ｄと一対を成すように複数のボス部１６ａ〜１６ｄが夫々配設されている。各ボス部１６ａ〜１６ｄには、前記フランジ部１７ａ〜１７ｄの挿通孔２０に対応させて螺子の取付け孔１５が夫々穿設されている。
【００１５】
そして、図６，図７に示すように、前記挿通孔２０に後述の締結螺子２１を上方から挿通し、その頭部２２を係止片１９に係止した状態で、該締結螺子２１の胴部２３の雄螺子を、前記各ボス部１６ａ〜１６ｄの取付け孔１５に螺着することにより、一対を成すフランジ部１７ａ〜１７ｄとボス部１６ａ〜１６ｄを個々に締結し得るようになっている。
【００１６】
前記締結螺子２１は、緊締方向へのみ螺回操作可能な操作頭部２２を備え、胴部２３には雄螺子を形成してなる所謂ワンウエイ螺子であって、図８に示すように、一般的な螺子において操作頭部２２に形成されるドライバー係合溝２２ａの両側に位置する一対の山部のうち、緊締方向の螺回操作時にドライバーが当接する山部２２ｂを備え、弛緩方向の螺回操作時にドライバーが当接する山部を除去したものであり、取付け孔１５に一度緊締されると弛緩方向への螺回操作ができず、その取り外しが不能となる特殊な螺子である。このため、一般的には入手することが非常に困難であることが予想される。
【００１７】
そこで、図６，図７に示すように、前記各ボス部１６ａ〜１６ｄに、フランジ部１７ａ〜１７ｄとの対向面から予備螺子２１’を入出し得る入出口２４を備えた収納部２５を形成して、該収納部２５に予備螺子２１’を一個づつ収納するようにしている。各収納部２５の入出口２４は、封印時に、フランジ部１７ａ〜１７ｄで塞がれるようになっており、収納された予備螺子２１’の抜け落ちを防止できるようにしている。尚、図７には、締結螺子２１と予備螺子２１’の二本の螺子が図示されているが、一対を成すボス部１６ａ〜１６ｄとフランジ部１７ａ〜１７ｄを締結螺子２１で締結すると、収納部２５に収納した予備螺子２１’が取り出し不能となるので、実際の使用時にはいずれか一本の螺子が表れることとなる。
【００１８】
制御基板収納ケース１を封印するには、蓋体４を閉じた状態において、フランジ部１７ａの上方から係止片１９の挿通孔２０にワンウエイ螺子からなる締結螺子２１を挿通し、該締結螺子２１の胴部２３の雄螺子を、フランジ部１７ａと一対を成すボス部１６ａの取付け孔１５に緊締方向の螺回操作を介してねじ込むことによって緊締状に螺着させる。これにより、フランジ部１７ａとボス部１６ａとが締結され、蓋体４の閉止状態が保持されて、制御基板収納ケース１が封印される。
【００１９】
ここで、制御基板収納ケース１の二側縁で互いに対称となる位置に配設された各一対のフランジ部１７ａ，１７ａとボス部１６ａ，１６ａを同時に締結することにより、制御基板収納ケース１の対向する二箇所で締結が行われることとなり、その封印をより確実なものとすることができる。尚、このように封印された制御基板収納ケース１のケース本体２と蓋体４との境目部分に従来の封印シールをさらに貼着するようにしてもよい。
【００２０】
前記締結螺子２１は一度緊締すると弛緩方向への螺回操作が不能であるため、該締結螺子２１の取り外しによる制御基板収納ケース１の開封はできない。このため、検査等でやむを得ず制御基板収納ケース１を開封する場合には、封印部分を破壊しなければならない。この封印部分の破壊は、フランジ部１７ａのリブ片１８，１８をニッパー等の適宜の工具で切断し、係止片１９を締結螺子２１とともに蓋体４から切り離すことにより容易に行うことができる。そして、ボス部１６ａには、切り離された係止片１９が締結螺子２１によって締結されたままの状態で残留することとなり、開封の痕跡が残される。このため、痕跡を残さずに制御基板収納ケース１の開封を行うことができず、該制御基板収納ケース１の開封によるＲＯＭ交換等の不正行為を防止し得るようになっている。
【００２１】
再度の封印は、蓋体４の開放時のみ収納部２５から取り出し可能となる締結螺子２１としての予備螺子２１’を用いて、他の一対を成すフランジ部１７ｂとボス部１６ｂとを上記と同様に締結することによって行うことができる。また、再度の開封も、上記と同様にフランジ部１７ｂのリブ片１８，１８をニッパー等の適宜の工具で切断することによって行うことができる。そして、この操作を順次繰り返すことにより、一対を成すボス部１６ａ〜１６ｄとフランジ部１７ａ〜１７ｄの数に対応した所定回数分の封印及び開封が可能となっている。
【００２２】
次に、本発明の要部につき説明する。
前記ヒンジ機構５，５は、夫々軸受部２６と、該軸受部２６に回動可能に強制嵌合される支軸部２７とを備えており、両軸受部２６，２６は、ケース本体２の長手方向に沿う枢結側の一側縁の上部に所定間隔を置いて配設されている。各軸受部２６は、図９に示すように、前記ケース本体２の枢結側の一側縁を構成する側板部２ｂの外側面に突成された左右一対の下部受片２９ａ，２９ａと、該下部受片２９ａ，２９ａの中間位置に突成された上部受片２９ｂとからなり、図１０に示すように、その側面視において全体で略Ｃ字形の軸受溝３０を構成するように設けられるとともに、該軸受溝３０に連通する係脱口３１が側方に開口されるようにしている。また、該係脱口３１の口幅は、支軸部２７の軸径寸法よりも若干狭くなるように設けられている。
【００２３】
前記ヒンジ機構５，５を構成する他方の支軸部２７，２７は、前記軸受部２６，２６に対応する蓋体４の側縁位置に夫々配設されている。各支軸部２７は、図９，図１０に示すように、蓋体４の側縁からその裏面方向に突成された断面略Ｌ形のカバーブラケット３２を備え、該カバーブラケット３２の左右の側壁板３２ａ，３２ａに両端を支持されて、その内部に横架されている。カバーブラケット３２には、支軸部２７の後部位置に後壁板３２ｂが一体形成されており、該後壁板３２ｂと前記側壁板３２ａ，３２ａの各先端部を、図１０に示すように、側面視において前記支軸部２７の軸心に対して偏位した位置に延出させてその先端を支持端３３としている。
【００２４】
また、図１１に示すように、軸受部２６と支軸部２７との嵌合状態において、蓋体４の開放操作によって前記支持端３３が当接するケース本体２の側板部２ｂの外側面部分を前記支持端３３の受面３４としている。そして、この受面３４に対する支持端３３の当接により、開放された蓋体４が直角よりやや大きな所定角度でその開放状態を保持し得るようになっている。尚、前記支持端３３を備えた後壁板３２ｂには、下部受片２９ａ，２９ａに夫々対応する位置に切欠き溝４１，４１が形成されており、蓋体４の開放操作時に、該切欠き溝４１，４１に下部受片２９ａ，２９ａを挿通させて、支持端３３と受面３４とを当接させ得るようにしている。
【００２５】
ケース本体２の枢結側の一側縁を構成する側板部２ｂには、前記二箇所の軸受部２６，２６の略中間に位置させて、図１３，図１４に示すように、所定深さの切欠き溝３５が形成されている。該切欠き溝３５の下半部分は、側板部２ｂの外側に突出するように一体形成された係合部材３６によって遮蔽されており、該係合部材３６に、側板部２ｂの内面側に開口する係合孔３７が形成されている。
【００２６】
一方、蓋体４の裏面には、前記切欠き溝３５に対応する位置に断面略Ｌ字形の係止部材３８が配設されている。該係止部材３８は、蓋体４の側縁から裏面方向に延成された延成片３８ａと、その下端から外面側に向けて曲成された係止片３８ｂとからなり、蓋体４の閉止状態で、該係止片３８ｂが前記係合孔３７に嵌挿されるようになっている。
【００２７】
また、蓋体４の枢結側の一側縁には、図１５に示すように、該一側縁から裏面方向に向けて係止縁３９が延成されている。該係止縁３９は、蓋体４の閉止状態で対向するケース本体２の側板部２ｂの外側面近傍に該外側面に沿うように延成されており、図１６に示すように、前記係止部材３８及びカバーブラケット３２を除く部分に設けられている。さらに、蓋体４の裏面には、前記係止縁３９の内側位置に複数の係止突起４０が突成されている。該係止突起４０は、図１５に示すように、蓋体２の閉止状態で対向するケース本体２の側板部２ｂの内側面に近接させて設けられるとともに、図１７に示すように、前記係止縁３９に沿って所定間隔で配設されている。
【００２８】
かかる構成にあって、ヒンジ機構５，５の各軸受部２６と支軸部２７とを連結するには、図１０に示すように、蓋体４をケース本体２に対して略直角を成すように保持して、蓋体４に設けた支軸部２７を、ケース本体２に設けた軸受部２６の係脱口３１から軸受溝３０内に強制的に嵌合することにより、図１１に示すように、軸受部２６と支軸部２７とが連結される。この時、蓋体４に設けられた係止部材３８の延成片３８ａを、ケース本体２の側板部２ｂに形成された切欠き溝３５に係合させると、支軸部２７が軸受部２６の係脱口３１に対向するように位置決めされることとなり、この状態でカバーブラケット３２の外側面と、ケース本体２の側板部２ｂの内側面とを指で挟圧することによって、支軸部２７を軸受部２６の係脱口３１から軸受溝３０内に簡単に圧入することができる。
【００２９】
このように、ヒンジ機構５，５の各軸受部２６と支軸部２７とを連結することにより、ケース本体２と蓋体４の対向する一側縁が回動可能に枢結され、蓋体４を片開き状に開閉することが可能となる。ここで、前記係脱口３１が、支軸部２７の軸径寸法よりも若干狭くなるように設けられていることにより、圧入された支軸部２７は、通常の開閉操作では係脱口３１から脱出することはなく、その嵌合状態を保持し得る。
【００３０】
そしてこのように、蓋体４は、ヒンジ機構５，５によってその一側縁がケース本体２の一側縁に枢結されていることにより、他の側縁に設けた一対を成すボス部１６ａ〜１６ｄとフランジ部１７ａ〜１７ｄを締結螺子２１で締結するだけで、蓋体４を簡単に閉止することができる。
【００３１】
また、制御基板６の収納作業や検査作業時において、蓋体４を開放すると、該蓋体４は、図１１に示すように、支持端３３が受面３４に当接する直角よりやや大きな所定角度まで開放され、ケース本体２から外れることなく、その開放状態が保持される。これにより、通常の作業時には、従来のように開放時にケース本体２から外れる蓋体４を別の場所に置く手間が省け、また、蓋体４を置くためのスペースを不要とすることができる。
【００３２】
さらに、蓋体４をケース本体２から取り外す必要がある場合には、前記所定角度以上に蓋体４を開放すると、所謂てこの原理により、受面３４に当接した支持端３３を支点として、支軸部２７が係脱口３１側に回動して軸受部２６から脱出することにより、支軸部２７と軸受部２６との嵌合が外れ、蓋体４をケース本体２から簡単に分離することができる。
【００３３】
そしてこのように、ヒンジ機構５，５の連結解除を、蓋体４がケース本体２に対して略直角となる所定角度でのみ可能としており、蓋体４を閉止して制御基板収納ケース１を封印した状態では、ヒンジ機構５，５の連結を解除することができないため、該ヒンジ機構５，５の連結解除によるＲＯＭ交換等の不正行為を防止することができる。
【００３４】
一方、上記のように、ヒンジ機構５，５によって蓋体４の一側縁をケース本体２の一側縁に枢結した状態において、蓋体４を閉止方向に回動させると、該蓋体４の裏面に設けた係止部材３８が蓋体４とともに回動して、図１４に示すように、ケース本体２の側板部２ｂに設けた係合部材３６の係合孔３７に係止片３８ｂが嵌挿される。これにより、蓋体４の閉止状態において、該蓋体４の枢結側の一側縁が上動不能に位置規制され、該蓋体４に外力を加えて浮き上がらせようとしても、変形させることができない。これにより、ヒンジ機構５，５側において、蓋体４を変形させて生じる隙間からＲＯＭを交換する不正行為を防止することができる。
【００３５】
また、上記と同様に、ヒンジ機構５，５によって蓋体４の一側縁をケース本体２の一側縁に枢結した状態において、蓋体４を閉止方向に回動させて閉止すると、図１５に示すように、蓋体４に設けた係止縁３９と係止突起４０との間にケース本体２の側板部２ｂが収まり、該側板部２ｂが位置規制されて、側方から外力を加えても、変形させることができない。これにより、ヒンジ機構５，５側において、ケース本体２の側板部２ｂを変形させて生じる隙間からＲＯＭを交換する不正行為を防止することができる。
【００３６】
尚、上記実施例では、各ヒンジ機構５を構成する軸受部２６をケース本体２側に設け、支軸部２７を蓋体４側に設けているが、その配置位置を逆にすることも可能である。また、支軸部２７側に設けた支持端３３と、ケース本体２側に設けた受面３４の配置位置を逆にすることも可能である。
【００３７】
また、上記実施例では、ケース本体２と蓋体４の一側縁を二個のヒンジ機構５，５によって枢結するようにしているが、この数に限定されるものではなく、単一もしくは三個以上のヒンジ機構５によって前記一側縁を枢結することも可能である。
【００３８】
さらに、上記実施例では、一対を成す係合孔３７と係止片３８ｂを、二個のヒンジ機構５，５の中間位置に配設するようにしているが、この構成に代えて、複数対の係合孔３７と係止片３８ｂを、ケース本体２と蓋体４の枢結側の一側縁に配設するようにしてもよい。
【００３９】
また、蓋体４の裏面に設けられる複数の係止突起４０を一連とすることも可能である。
【００４０】
【発明の効果】
本発明は、上述のように、ケース本体の、ヒンジ機構により枢結された一側縁を構成する側板部に係合孔を設ける一方、蓋体の裏面に、該蓋体の閉止状態で前記係合孔に嵌挿される係止片を設けたから、蓋体の閉止状態において、ケース本体の側板部の係合孔に、蓋体の係止片が嵌挿されることにより、蓋体が上動不能に位置規制され、該蓋体に外力を加えて浮き上がらせようとしても、変形させることができない。これにより、ヒンジ機構側において、蓋体を変形させて生じる隙間からＲＯＭを交換する不正行為を防止することができる。
【００４１】
また、蓋体の、ヒンジ機構により枢結された一側縁から、蓋体の閉止状態で対向するケース本体の側板部の外側面近傍に該外側面に沿って係止縁を延成するとともに、蓋体の裏面に、前記側板部の内側面に近接させて１もしくは複数の係止突起を設けたから、蓋体の閉止状態において、該蓋体の係止縁と係止突起との間にケース本体の側板部が収まることにより、該側板部が位置規制され、該側板部に側方からの外力を加えても、変形させることができない。これにより、ヒンジ機構側において、ケース本体の側板部を変形させて生じる隙間からＲＯＭを交換する不正行為を防止することができる等の優れた効果がある。
【図面の簡単な説明】
【図１】本発明にかかる制御基板収納ケースの平面図である。
【図２】制御基板収納ケースの側面図である。
【図３】制御基板収納ケースの背面図である。
【図４】蓋体を開放した状態を示す制御基板収納ケースの側面図である。
【図５】フランジ部の拡大斜視図である。
【図６】制御基板収納ケースの縦断面図である。
【図７】図６における要部の拡大断面図である。
【図８】締結螺子の斜視図である。
【図９】ヒンジ機構の分離状態の拡大斜視図である。
【図１０】ヒンジ機構を分離した状態の制御基板収納ケースの側断面図である。
【図１１】ヒンジ機構を連結した状態の制御基板収納ケースの側断面図である。
【図１２】蓋体を閉止した状態を示す制御基板収納ケースの側断面図である。
【図１３】ケース本体の係合孔部分と、蓋体の係止片部分を示す拡大斜視図である。
【図１４】係合孔と係止片の係合状態を示す制御基板収納ケースの側断面図である。
【図１５】係止縁と係止突起部分を示す制御基板収納ケースの側断面図である。
【図１６】係止縁の配設状態を示す蓋体の背面図である。
【図１７】係止突起の配設位置を示す蓋体の平面図である。
【符号の説明】
１  制御基板収納ケース
２  ケース本体
２ｂ  側板部
３  開口部
４  蓋体
５  ヒンジ機構
６  制御基板
２６  軸受部
２７  支軸部
３１  係脱口
３３  支持端
３４  受面
３７  係合孔
３８ｂ  係止片
３９  係止縁
４０  係止突起
【図１】
0004166441.tif 000002
【図２】
0004166441.tif 000003
【図３】
0004166441.tif 000004
【図４】
0004166441.tif 000005
【図５】
0004166441.tif 000006
【図６】
0004166441.tif 000007
【図７】
0004166441.tif 000008
【図８】
0004166441.tif 000009
【図９】
0004166441.tif 000010
【図１０】
0004166441.tif 000011
【図１１】
0004166441.tif 000012
【図１２】
0004166441.tif 000013
【図１３】
0004166441.tif 000014
【図１４】
0004166441.tif 000015
【図１５】
0004166441.tif 000016
【図１６】
0004166441.tif 000017
【図１７】
0004166441.tif 000018